(57)【要約】  ユーザの爪に光を放射するためのキット(10)は、  -  ある波長の光を放射する発光ダイオード(14)と、  -  発光ダイオード(14)に結合される導波層(26)と、  -  ユーザの爪に導波層(26)を固定するための固定要素とを備える。  キット(10)は、導波層(26)に塗布されるように意図されている少なくとも1つの蛍光コーティング(30)を含み、導波層(26)は、発光ダイオード(14)によって放射される光を蛍光コーティング(30)へと伝送させるように構成され、蛍光コーティング(30)は、発光ダイオード(14)の波長で励起される。
2018502679.tif 000002
【特許請求の範囲】
【請求項１】
ユーザの爪に光を放射するためのキット(10)であって、
-  波長(λl)の光を放射する発光ダイオード(14)と、
-  前記発光ダイオード(14)に結合される導波層(26)と、
-  前記ユーザの前記爪に前記導波層(26)を固定するための固定要素と
を備える、キット(10)において、
前記キット(10)が、前記導波層(26)に塗布されるように意図されている少なくとも1つの蛍光コーティング(30)を含み、前記導波層(26)が、前記発光ダイオード(14)によって放射される前記光を前記蛍光コーティング(30)へと伝送するように構成され、前記蛍光コーティング(30)が、前記発光ダイオード(14)の前記波長(λl)で励起されることを特徴とする、
キット(10)。
【請求項２】
前記発光ダイオード(14)が、マイクロLEDである、請求項1に記載のキット(10)。
【請求項３】
前記発光ダイオード(14)は、直径が、30μm未満、好ましくは20μm未満、有利には15μmに等しい、請求項1または2に記載のキット(10)。
【請求項４】
前記発光ダイオード(14)によって放射される前記光の前記波長(λl)が、315nmから420nmの間の範囲内、有利には400nmから410nmの間の範囲内に含まれる、請求項1から3のいずれか一項に記載のキット(10)。
【請求項５】
前記導波層(26)の端部が、前記発光ダイオード(14)に結合され、前記導波層(26)の前記端部が、面取りされている、請求項1から4のいずれか一項に記載のキット(10)。
【請求項６】
前記導波層(26)の前記面取りされている端部が、90°未満、好ましくは60°未満、有利には30°から60°の間に含まれる角度によって面取りされている、請求項5に記載のキット(10)。
【請求項７】
前記導波層(26)が、可撓性かつ透明な材料、具体的には、ポリジメチルシロキサンから作られている、請求項1から6のいずれか一項に記載のキット(10)。
【請求項８】
前記導波層(26)の一方の表面が、前記導波層(26)を通過する前記光を散乱させることができるエンボス加工部(45)および/または印刷加工部を含む、請求項1から7のいずれか一項に記載のキット(10)。
【請求項９】
前記蛍光コーティング(30)が、前記導波層(26)の表面に塗布され、有利には、前記蛍光コーティング(30)が、除去可能である、請求項1から8のいずれか一項に記載のキット(10)。
【請求項１０】
前記蛍光コーティング(30)が、少なくとも1つの発蛍光団を含み、各励起された発蛍光団によって放射される前記光が、可視範囲における波長(λf)を有する、請求項1から9のいずれか一項に記載のキット(10)。
【請求項１１】
前記蛍光コーティング(30)が、相異なる波長(λf)の光を放射する、少なくとも第1の発蛍光団および第2の発蛍光団を含む、請求項10に記載のキット(10)。
【請求項１２】
前記発光ダイオード(14)への供給のための電源装置(18)を備え、前記電源装置(18)が、電池または誘導電源である、請求項1から11のいずれか一項に記載のキット(10)。
【請求項１３】
ユーザの指周りに置かれることになるリング(31)を備え、前記電源装置(18)が、前記リング(31)によって担持され、前記発光ダイオード(14)に接続される、請求項12に記載のキット(10)。
【請求項１４】
ユーザの爪に光を放射するための方法であって、
-  請求項1から13のいずれか一項に記載のキット(10)を用意するステップと、
-  前記ユーザの前記爪に前記導波層(26)を固定するステップと、
-  前記導波層(26)に前記蛍光コーティング(30)を塗布するステップと、
-  前記発光ダイオード(14)に電力供給し、前記導波層(26)により、前記発光ダイオード(14)によって放射される前記光を伝送させるステップと、
-  前記導波層(26)により伝送される前記光により、前記蛍光コーティング(30)を励起するステップと
を含む、方法。
【請求項１５】
前記蛍光コーティング(30)を除去し、有利には、別の蛍光コーティング(30)を塗布するステップを含む、請求項14に記載の方法。
【発明の詳細な説明】
【技術分野】
【０００１】
本発明は、ユーザの爪に光を放射するためのキットに関し、このキットは、
-  ある波長の光を放射する発光ダイオードと、
-  発光ダイオードに結合される導波層と、
-  ユーザの爪に導波層を固定するための固定要素と
を備える。
【０００２】
このキットは、ユーザの爪に固定されて、ユーザの爪に光を放射するように意図されている。
【背景技術】
【０００３】
従来技術より、ユーザの爪の上の置かれるOLED(Organic Light-Emitting Diode(有機発光ダイオード)の略語)スクリーンに画像を表示することができるNailDisplayと呼ばれる装置が知られている。
【０００４】
しかしながら、そのような装置は、実用には程遠く、嵩張る電子部品および複雑な駆動回路機構が動作に必要である。
【０００５】
WO2013/168909には、2つの小型の発光ダイオードを組み込んだ電池不要の透明体について記載されている。透明体には、発光ダイオードから生じる光が照射される。
【０００６】
しかしながら、透明体の出力における光は、あまり明るくなく、透明体全体を照射しない。その上、透明体には、単色を有する光が照射される。光の色を変更するには、新しい透明体が、都度、必要である。
【先行技術文献】
【特許文献】
【０００７】
【特許文献１】国際公開第2013/168909号
【発明の概要】
【発明が解決しようとする課題】
【０００８】
本発明の目的は、より使い勝手が良く、カスタマイズされた方式でユーザの爪の全表面を照射することができる、ユーザの爪に光を放射するためのキットを得ることである。
【課題を解決するための手段】
【０００９】
この目的のために、本発明は、上述のタイプの、ユーザの爪に光を放射するためのキットに関し、ここで、キットは、導波層に塗布されるように意図されている少なくとも1つの蛍光コーティングを含み、導波層は、発光ダイオードによって放射される光を蛍光コーティングへと伝送させるように構成され、蛍光コーティングは、発光ダイオードの波長で励起される。
【００１０】
本発明によるキットは、単独で、または技術的に可能な任意の組合せで考慮される以下の特徴のうちの1つまたは複数を含むことができる:
-  発光ダイオードは、マイクロLEDである。
-  発光ダイオードは、直径が、30μm未満、好ましくは20μm未満、有利には15μmに等しい。
-  発光ダイオードによって放射される光の波長は、315nmから420nmの間の範囲、有利には400nmから410nmの間の範囲に含まれる。
-  導波層の端部は、発光ダイオードに結合され、導波層の端部は、面取りされている。
-  導波層の面取りされている端部は、90°未満、好ましくは60°未満、有利には30°から60°の間に含まれる角度によって面取りされている。
-  導波層は、可撓性かつ透明な材料、具体的には、ポリジメチルシロキサンから作られている。
-  導波層の一方の表面は、導波層を通過する光を散乱させることができるエンボス加工部および/または印刷加工部を含む。
-  蛍光コーティングは、導波層の表面に塗布され、有利には、蛍光コーティングは、除去可能である。
-  蛍光コーティングは、少なくとも1つの発蛍光団を含み、各励起された発蛍光団によって放射される光は、可視範囲における波長を有する。
-  蛍光コーティングは、相異なる波長の光を放射する、少なくとも第1の発蛍光団および第2の発蛍光団を含む。
-  キットは、発光ダイオードへの供給のための電源装置を備え、電源装置は、電池または誘導電源である。さらには、
-  キットは、ユーザの指周りに置かれることになるリングを備え、電源装置は、リングによって担持され、発光ダイオードに接続される。
【００１１】
本発明はまた、ユーザの爪に光を放射するための方法に関し、この方法は、
-  上に記載したキットを用意するステップと、
-  ユーザの爪に導波層を固定するステップと、
-  導波層に蛍光コーティングを塗布するステップと、
-  発光ダイオードに電力供給し、導波層により、発光ダイオードによって放射される光を伝送させるステップと、
-  導波層により伝送される光により、蛍光コーティングを励起するステップと
を含む。
【００１２】
本発明による方法は、蛍光コーティングを除去し、有利には、別の蛍光コーティングを塗布するステップを含むことができる。
【００１３】
本発明は、単に一例として提供される以下の説明を見て、添付の図面を参照すると、より理解し易くなるであろう。
【図面の簡単な説明】
【００１４】
【図１】本発明による、ユーザの指に置かれているキットの概略図である。
【図２】図1のキットの導波層の側面図である。
【図３】本発明の別の実施形態によるキットの、相異なる蛍光コーティングによりカバーされている導波層の上面図である。
【図４】本発明によるキットの別の実施形態の概略図である。
【発明を実施するための形態】
【００１５】
本発明の第1の実施形態による、ユーザの爪に光を放射するためのキット10が、図1に示されている。
【００１６】
キット10は、ユーザの爪に、波長が可視範囲に含まれている光を放射するように意図されている。それは、波長範囲が380ナノメートル(nm)から780nmまでである波長についての「可視範囲(visible range)」によって理解される。
【００１７】
図1に例示されるように、キット10は、発光ダイオード14と、発光ダイオード14に電力供給するための電源装置18と、発光ダイオード14によって放射される光を伝送させ、誘導するための導波層26とを備える。キット10は、発光ダイオード14および導波層26をユーザの爪に固定するための固定要素と、少なくとも1つの蛍光コーティング30とをさらに備える。
【００１８】
発光ダイオード14は、電流によって活性化されると、光を放射することができるオプトエレクトロニクス部品である。
【００１９】
キット10は、所要の輝度および各発光ダイオード14の電力消費に応じて、1つまたは複数の発光ダイオード14を備える。
【００２０】
発光ダイオード14は、実質的に単色である光を生成することができる。それは、放射波長範囲が30nm未満である光、「実質的に単色の光(substantially monochromatic light)」という用語によって理解される。
【００２１】
発光ダイオード14によって生成される光の波長λlは、可視範囲または近紫外範囲(UVAと略される)に属する。それは、波長範囲が315nmから380nmまでである波長についての「近紫外範囲(near ultraviolet range)」によって理解される。言い換えれば、発光ダイオード14によって放射される光は、波長λlが315nmから780nmの間に含まれる。好ましくは、発光ダイオード14によって放射される光は、波長λlが400nmから410nmの間に含まれる。有利には、発光ダイオード14によって放射される光は、波長λlが405nmに等しい。
【００２２】
その上、発光ダイオード14によって放射される光ビームは、所与の距離にわたって、たとえば、1ミリメートル(mm)にわたってコリメートされ得る。それは、光線が、所与の距離にわたって、たとえば、1mmにわたって30°未満の角度開口部に平行、または角度開口部内にある光ビームについて「コリメートされる(collimated)」によって理解される。
【００２３】
発光ダイオード14は、マイクロLEDである。それは、直径がマイクロメートル(μm)の大きさの桁である発光ダイオード、「マイクロLED」によって理解される。
【００２４】
マイクロLEDの直径は、30μm未満であり、好ましくは20μm未満であり、有利には15μmに等しい。
【００２５】
マイクロLEDが動作に必要な電力は、非常に少ない。有利には、マイクロLEDの最大動作電力は、5ミリワット(mW)未満である。そのような低電力により、マイクロLEDに電力供給するのに、小型電池を使用することが可能になる。
【００２６】
電源装置18は、発光ダイオード14に電力供給するように意図されている。
【００２７】
発光ダイオード14に必要な電力は少ないので、好ましくは、電源装置18は、低電力源、たとえば、5mW未満の電力を送達する電力源である。
【００２８】
本発明の第1の実施形態においては、キットは、図1に示され、電源装置18を収容するリング31を備える。リング31は、ユーザの指周りに位置付けられるように構成されている。電源装置18は、電池を備え、この図1に示されている発光ダイオード14にワイヤによって接続されている。この実施形態においては、発光ダイオード14は、電源装置18の電池から生じる電流によって、直接、供給される。
【００２９】
導波層26は、導波層26の全表面に沿って、発光ダイオード14によって放射される光を伝送させるように意図されている。
【００３０】
導波層26は、発光ダイオード14に結合されている。言い換えれば、発光ダイオード14から生じる光ビームは、直接、導波層26の中に注入される。発光ダイオード14によって放射される光は、発光ダイオード14を導波層26に結合するときに、実質的に光を損失しないように十分にコリメートされる。
【００３１】
導波層26は、可撓性かつ透明な材料の本体から作られている。本体は、たとえば、PDMS(ポリジメチルシロキサン)などのポリマーから作られている。
【００３２】
発光ダイオード14に結合されている導波層26の端部は、90°未満、好ましくは60°未満、有利には30°から60°の間に含まれる角度によって面取りされて、面取り部32(図2に見て取れる)を形成する。具体的には、導波層26の端部は、45°に等しい角度だけ面取りされる。
【００３３】
その面取りされている端部は別として、導波層26の厚さは、2mm未満であり、たとえば、0.5mmから1.5mmの間に含まれる。
【００３４】
本体は、接触によって可逆的に変形可能であるように可撓性である。たとえば、本体は、ユーザの指間で本体の側面をつまむことによって、可逆的に変形可能である。
【００３５】
本体は、蛍光コーティングがない場合に、透明である。これは、本体が爪に当てがわれるとき、ユーザの爪が、本体を通して見て取れることを意味する。
【００３６】
図1および図2に示されているように、本体は、長手方向軸B〜B'に沿って延び、ヒトの爪の輪郭に似た輪郭を有する。本体は、2つの横方向側面と、丸みを帯びた先端部33とを有する。
【００３７】
図2に示されているように、本体は、爪に対して固定されるように意図されている下側表面34と、蛍光コーティング30を受けるための上側表面35とを有する。
【００３８】
図2に示されているように、面取り部32は、下側表面34において、丸みを帯びた先端部33に対向して位置している。発光ダイオード14は、面取り部32を背にして固定される。各ダイオードの光放射軸A〜A'は、有利には、長手方向軸B〜B'に対して垂直である。
【００３９】
そのような面取り部32により、実質的に光を損失することなく、発光ダイオード14から生じる光は、導波層26へと結合することが可能になる。実際に、損失した光の割合は、5%未満である。
【００４０】
固定要素は、ユーザの爪に発光ダイオード14および導波層26を固定するように意図されている。固定要素は、たとえば、接着剤層である。
【００４１】
有利には、蛍光コーティング30は、爪処方などの美容用製品である。
【００４２】
蛍光コーティングは、発光ダイオード14によって放射される波長λlで励起されるように構成されている。
【００４３】
この実施形態においては、蛍光コーティング30は、少なくとも1つの発蛍光団を含む。それは、光励起されると、光を再放射することができる蛍光性化合物、「発蛍光団(fluorophore)」によって理解される。
【００４４】
有利には、蛍光コーティング30は、複数の発蛍光団を含む。
【００４５】
各発蛍光団は、発光ダイオード14によって放射される波長λlで励起可能である。各発蛍光団によって放射される光は、可視範囲における波長λfを有する。
【００４６】
蛍光コーティング30の発蛍光団は、同一または異なっている。蛍光コーティング30の発蛍光団が同一であるとき、励起される発蛍光団は、単一の波長λfの光を放射する。蛍光コーティング30の一部の発蛍光団が異なるとき、少なくとも第1の発蛍光団および第2の発蛍光団が、異なる波長λfの光を放射する。
【００４７】
蛍光コーティング30は、導波層26の表面に塗布されるように意図されている。導波層26は、発光ダイオード14によって放射される光を蛍光コーティング30へと伝送させるように構成されている。
【００４８】
蛍光コーティング30は、マニキュア除光液などの美容用溶剤により、導波層26の表面から除去されるように構成されている。
【００４９】
次に、本発明の第1の実施形態による、ユーザの爪に光を放射するための方法について説明する。
【００５０】
最初に、方法は、上述のキット10を用意するステップを含む。発光ダイオード14は、電力供給されず、蛍光コーティング30は、照射されない。
【００５１】
リング31は、ユーザの1本の指周りに置かれる。
【００５２】
次いで、方法は、固定要素を用いて、ユーザの爪に、発光ダイオード14および導波層26の下側表面34を固定するステップを含む。
【００５３】
方法は、導波層26の上側表面35に蛍光コーティング30を塗布するステップをさらに含む。図1および図2に示されているように、蛍光コーティング30は、たとえば、導波層26の上側表面35全体に塗布される。
【００５４】
次いで、方法は、電源装置18により、発光ダイオード14に電力供給するステップを含む。
【００５５】
方法は、発光ダイオード14によって放射される光を、導波層26を介して蛍光コーティング30へと伝送させるステップをさらに含む。このステップ中、蛍光コーティング30の少なくとも1つの発蛍光団は、波長λlで、発光ダイオード14から生じる光によって励起される。
【００５６】
その後、各励起された発蛍光団は、可視範囲における波長λfの光を放射する。
【００５７】
任意選択で、方法は、美容用製品により、蛍光コーティング30を除去するステップ、および導波層26の表面に別の蛍光コーティング30を塗布するステップを含む。
【００５８】
したがって、蛍光コーティング30は、導波層26の表面に新規デザインを作成するために、美容用製品を使用することによって、簡単かつ容易に除去され得る。そのため、キット10は、相異なる色の範囲を含む膨大な数のパターンを作成するのに使用され得る。そのため、そのようなキット10は、ユーザに適合可能であり、カスタマイズ可能である。
【００５９】
本発明の第2の実施形態により、本発明の第1の実施形態のキット10と同一の要素については、再度、説明しない。相違点のみ強調する。
【００６０】
キット10は、いくつかの美容用製品から得られるいくつかの蛍光コーティングを含む。各蛍光コーティング30を励起するときに得られる色は、蛍光コーティング30ごとに異なり、それは、第1のコーティングの少なくとも1つの発蛍光団および第2のコーティングの少なくとも1つの発蛍光団が、相異なる波長λfの光を放射することを意味する。
【００６１】
第2の実施形態による、ユーザの爪に光を放射するための方法は、第1の実施形態とは異なり、ここでは、相異なる蛍光コーティング30が、導波層26の上側表面35の相異なる領域に塗布される。
【００６２】
たとえば、図3に示されているように、導波層26の上側表面35には、3つの異なる蛍光コーティング30がカバーされ、第1のコーティング36は、爪の丸みを帯びた先端部において塗布され、第2のコーティング38は、爪の丸みを帯びた先端部の反対側において塗布され、第3のコーティング40は、第1のコーティング36と第2のコーティング38との間に塗布される。
【００６３】
したがって、キット10は、幅広い範囲の色を含む光をユーザの爪に放射するように構成されている。実際、利用可能な色範囲は、導波層26に塗布される相異なる蛍光コーティング30にのみ依存する。そのため、蛍光コーティング30にのみ依存する複数の色を含む光を同時にユーザの爪に放射することが可能である。
【００６４】
その上、照射色は、蛍光コーティングに含まれている発蛍光団にのみ依存するので、異なる波長λlの光を放射する異なる発光ダイオード14を使用する必要がない。約405nmの波長λlの光を放射する発光ダイオード14は、多数の発蛍光団を励起することができる。
【００６５】
そのため、キット10は、照射されることになる爪の全表面に沿って、単一のキット10による簡単なやり方で、かつ埋込式のいくつかの発光ダイオード14の必要なしに、任意の色を生成することを可能にする。
【００６６】
図4に示されている本発明の第3の実施形態により、本発明の第1の実施形態のキット10と同一の要素については、再度、説明しない。相違点のみ強調する。
【００６７】
導波層26の上側表面35は、いくつかのエンボス加工部45および/またはいくつかの印刷加工部を含む。それは、レリーフパターンおよび/または突出部によってマークされ、つまり、平滑ではない表面についての「エンボス加工部(embossing)」によって理解される。
【００６８】
印刷加工部は、たとえば、印刷機によって、またはユーザによって作成されるいくつかのパターンである。印刷加工部は、導波層26の表面を平滑に維持する。
【００６９】
第3の実施形態による、ユーザの爪に光を放射するための方法は、第1の実施形態の方法と同一である。
【００７０】
結果として、キット10は、導波層26を通過する光を散乱させるエンボス加工部45および印刷加工部により、相異なるパターンによるユーザの爪への光の放射を可能にする。
【００７１】
本発明の第4の実施形態により、キット10は、第2の実施形態と同一であり、また、本発明の第3の実施形態のキットの特徴を含む。
【００７２】
先に説明した実施形態の一変形形態においては、電源装置18は、フィルム電池である。それは、厚さがミリメートルの大きさの桁である電池、「フィルム電池(film battery)」によって理解されるフィルム電池は、たとえば、リチウムイオン電池を含む。
【００７３】
有利には、フィルム電池は、発光ダイオード14の上に、または下に位置していることができる。
【００７４】
フィルム電池は、たとえば、Enfucell社によって製造されるSoftBattery(登録商標)である。
【００７５】
別の変形形態においては、電源装置18は、ユーザの手首周りに位置付けられ、可変電磁場を放射するように構成されたブレスレットを含む。
【００７６】
電源装置18は、可変電磁場に曝されるときに電力を生成するための誘導電源をさらに含む。誘導電源は、発光ダイオード14に接続される。たとえば、誘導電源は、発光ダイオード14の上に、または下に位置していることができる。誘導電源は、たとえば、無線周波数誘導装置、つまり、無線周波数磁界を使用して、近接場における電磁誘導によってエネルギーを移動させる装置である。
【００７７】
この実施形態による、ユーザの爪に光を放射するための方法は、第1の実施形態の方法と同一である。
【符号の説明】
【００７８】
10  キット
14  発光ダイオード
18  電源装置
26  導波層
30  蛍光コーティング
31  リング
32  面取り部
33  先端部
34  下側表面
35  上側表面
36  第1のコーティング
38  第2のコーティング
40  第3のコーティング
45  エンボス加工部
A〜A'  光放射軸
B〜B'  長手方向軸
λl  波長
λf  波長
【図１】
2018502679.tif 000003
【図２】
2018502679.tif 000004
【図３】
2018502679.tif 000005
【図４】
2018502679.tif 000006
【国際調査報告】
2018502679.tif 000007
2018502679.tif 000008